(57)【要約】【課題】  接着テープで封緘する外装用段ボール箱として、刃物等の格別な道具を使用せずに、容易に確実に開封操作を行え、開封後の小箱体等の内容物の取り出しを容易に行えるものを提供する。【解決手段】  四周側板部１〜４及び底板部と、一方の対向する側板部１，２から延設された一対の蓋フラップ６，７と、他方の対向する側板部３，４から延設された一対の蓋受けフラップ１０，１１とを備え、内側に折り込んだ両蓋受けフラップ１０，１１上に両蓋フラップ６，７を折り付けて閉じ合わせ、接着テープＴを蓋受けフラップ１０側の側板部３の上部から蓋フラップ６，７の閉じ合わせ縁に沿って貼着して封緘するようにした外装用段ボール箱Ｂ１において、接着テープＴの端部Ｔａを貼着する側板部３の上部に、テープ貼着部分を含む領域を破断誘導線１４，１８の破断操作によって独立の段ボール片Ｐとする切り離し部１６が形成され、開封時に、切り離した段ボール片Ｐと一体に接着テープＴを閉じ合わせ縁から引き剥がすように構成されている。【選択図】        図２
2007008529.tif 000002
【特許請求の範囲】
【請求項１】
四周側板部及び底板部と、一方の対向する側板部から延設された一対の蓋フラップと、他方の対向する側板部から延設された一対の蓋受けフラップとを備え、内側に折り込んだ両蓋受けフラップ上に両蓋フラップを折り付けて閉じ合わせ、接着テープを蓋受けフラップ側の側板部の上部から前記蓋フラップの閉じ合わせ縁に沿って貼着して封緘するようにした外装用段ボール箱において、
前記接着テープの端部を貼着する側板部の上部に、テープ貼着部分を含む領域を破断誘導線の破断操作によって独立の段ボール片とする切り離し部が形成され、
開封時に、前記破断誘導線の破断操作で前記段ボール片を切り離し、この段ボール片と一体に接着テープを前記閉じ合わせ縁から引き剥がすように構成されてなる外装用段ボール箱。
【請求項２】
前記切り離し部の上端縁が、蓋受けフラップにおける封緘時の蓋フラップ側縁よりも若干内側になる位置に形成されてなる請求項１記載の外装用段ボール箱。
【請求項３】
蓋フラップ側縁の少なくとも前記切り離し部の上端縁幅に対応する幅領域が、当該切り離し部を有する側板部の上縁よりも箱内側寄りに位置してなる請求項２記載の外装用段ボール箱。
【請求項４】
前記接着テープの端部を貼着する側板部に、切り離し部の両側縁から連続して当該側板部下縁に達する破断誘導線が形成され、これら破断誘導線と前記切り離し部の下縁との間で側方開離部が構成されてなる請求項１〜３のいずれかに記載の外装用段ボール箱。
【請求項５】
前記切り離し部の両側縁から連続して側板部下縁に達する両破断誘導線がジグザグ状をなす請求項４記載の外装用段ボール箱。
【発明の詳細な説明】
【技術分野】
【０００１】
この発明は、例えば箱入りギフト商品等の複数個の小箱体をまとめて箱詰めして輸送等に供するのに使用される外装用段ボール箱に関する。
【背景技術】
【０００２】
一般的に、外装用段ボール箱では、内部に所要個数の小箱体を一杯に詰まるように収容した上で、一方の対向する側板部から延設された一対の蓋受けフラップを内側に折り込み、その上に他方の対向する側板部から延設された一対の蓋フラップを折り付けて閉じ合わせ、その閉じ合わせ縁に沿って接着テープ（所謂ガムテープ）を貼着することによって封緘する方式が多用されている。
【０００３】
ところが、このように接着テープで封緘した外装用段ボール箱を開封する際、カッターナイフ等の刃物を使用した場合は内部の小箱体を損傷する懸念がある一方、刃物を使用せずに手指で接着テープを引き剥がすには非常に手間がかかることになる。また、開封した外装用段ボール箱から収容されている小箱体を取り出す際、これら小箱体は隙間なく密に詰め込まれているのが普通であるため、小箱体を掴む手掛かりが得られず、取出し操作に困難をきたすことが多々あった。
【０００４】
そこで、開封を容易にするために、接着テープの端部を貼着する側板部の上部に、テープ幅より広い非貫通の切り込みを設けると共に、この切り込みに接する部分の段ボールに潰し加工を施し、開封時に該潰し加工の部分から切り込みの段ボール表面紙層を剥離することにより、この紙層と一体に接着テープを引き剥がすようにしたものが提案されている（特許文献１）。また、開封後の外装用段ボール箱からの小箱体の如き内容物の取り出しを容易にするために、蓋フラップの基部に設けた切り込みから側板部下縁に続くミシン目によって切り取り部を形成し、開封後に該切り取り部を切り取ることにより、箱側面に内容物取り出しの手掛かりとなる開裂部を生じるようにしたものも提案されている（特許文献２）。
【特許文献１】実開平６−７６０３１号公報
【特許文献２】実開昭５８−９２８号公報  しかしながら、前記の切り込みと潰し加工を施した外装用段ボール箱では、潰し加工部分から切り込みの段ボール表面紙層を剥離する際の確実性に乏しく、紙層がうまく剥がれなかったり、紙層が破断して接着テープの端部に繋がらなかったりする懸念があり、また潰し加工のために加工コストが高く付く上、潰し加工部分で箱強度が低下するという問題があった。一方、蓋フラップの基部の切り込みから側板部下縁に続く切り取り部を形成した外装用段ボール箱では、開封性の問題が未解決のままで、切り取り部の形成にコストがかかることになる。
【発明の開示】
【発明が解決しようとする課題】
【０００５】
この発明は、上述の事情に鑑みて、接着テープで封緘する外装用段ボール箱として、刃物等の格別な道具を使用せずに、容易に且つ確実に開封操作を行えるものを提供することを第一の課題とし、これに加えて開封後の小箱体等の内容物の取り出しを容易に行えるものを提供することを第二の課題としている。
【課題を解決するための手段】
【０００６】
上記課題を解決するために、請求項１の発明は、四周側板部及び底板部と、一方の対向する側板部から延設された一対の蓋フラップと、他方の対向する側板部から延設された一対の蓋受けフラップとを備え、内側に折り込んだ両蓋受けフラップ上に両蓋フラップを折り付けて閉じ合わせ、接着テープを蓋受けフラップ側の側板部の上部から前記蓋フラップの閉じ合わせ縁に沿って貼着して封緘するようにした外装用段ボール箱において、前記接着テープの端部を貼着する側板部の上部に、テープ貼着部分を含む領域を破断誘導線の破断操作によって独立の段ボール片とする切り離し部が形成され、開封時に、前記破断誘導線の破断操作で前記段ボール片を切り離し、この段ボール片と一体に接着テープを前記閉じ合わせ縁から引き剥がすように構成されてなるものとしている。
【０００７】
また、請求項２の発明は、前記請求項１の外装用段ボール箱において、前記切り離し部の上端縁が、蓋受けフラップにおける封緘時の蓋フラップ側縁よりも若干内側になる位置に形成されてなるものとしている。
【０００８】
更に、請求項３の発明は、前記請求項２の外装用段ボール箱において、蓋フラップ側縁の少なくとも前記切り離し部の上端縁幅に対応する幅領域が、当該切り離し部を有する側板部の上縁よりも箱内側寄りに位置してなる構成としている。
【０００９】
一方、請求項４の発明は、前記請求項１〜３のいずれかの外装用段ボール箱において、前記接着テープの端部を貼着する側板部に、切り離し部の両側縁から連続して当該側板部下縁に達する破断誘導線が形成され、これら破断誘導線と前記切り離し部の下縁との間で側方開離部が構成されてなるものとしている。
【００１０】
また、請求項５の発明は、前記請求項４の外装用段ボール箱において、前記切り離し部の両側縁から連続して側板部下縁に達する両破断誘導線がジグザグ状をなす構成としている。
【発明の効果】
【００１１】
請求項１の発明によれば、接着テープによって封緘した外装用段ボール箱を開封する際、破断誘導線の破断操作により、側板部の切り離し部を段ボール片として簡単に切り離すことができ、この段ボール片には接着テープの端部が貼着しているから、該段ボール片を手にして引き動かすことより、接着テープを蓋フラップの閉じ合わせ縁から容易に且つ確実に引き剥がし、もって刃物等の格別な道具を使用することなく、手操作のみで箱上方開口部を極めて簡便に開放することができる。
【００１２】
請求項２の発明によれば、封緘状態の外装用段ボール箱において前記切り離し部の上端縁が蓋フラップに覆われて保護されることから、輸送中や取扱い中に上下からの力が加わった際の当該上端縁の破断を生じにくくなる上、開封後の外側へ開いた蓋受けフラップの基部に切り離し部の上端側の抜けによって手差込み口を生じるから、この手差込み口に手指を差し込んで内容物の小箱体等を簡単に取り出すことができる。
【００１３】
請求項３の発明によれば、外装用段ボール箱の封緘状態で前記切り離し部の上端縁が蓋フラップ側縁よりも若干内側に位置すると共に、切り離し部の上端縁に対応した該蓋フラップ側縁部分が、当該切り離し部を有する側板部の上縁よりも箱内側寄りに位置するから、開封する際、切り離し部を下部側から破断して上へ引き上げることにより、該切り離し部の上面と蓋フラップ側縁との当接部を支点とする梃子の作用で、切り離し部の上端側が押し下げられて蓋受けフラップから簡単に分離する。
【００１４】
請求項４の発明によれば、外装用段ボール箱の開封時に、側板部の切り離し部を段ボール片として切り離して接着テープを剥がし取ったのち、該切り離し部の下方の側方開離部を側板部から破断して外側へ開き出すことにより、箱側面の上下全体にわたる開口部が構成されるから、この開口部を利用して内容物の小箱体等を最下部に位置するものまで極めて簡単に取り出すことができる。
【００１５】
請求項５の発明によれば、前記切り離し部及び側方開離部の両側縁を構成する破断誘導線がジグザグ状をなすから、当該破断誘導線が直線状である場合に比較し、内外からの圧力による破断を生じにくく、外装用段ボール箱としての側面強度が増す。
【発明を実施するための最良の形態】
【００１６】
以下、この発明に係る外装用段ボール箱の実施形態について、図面を参照して具体的に説明する。図１〜図６は第一実施形態の外装用段ボール箱Ｂ１、図７は第二実施形態の外装用段ボール箱Ｂ２をそれぞれ示す。
【００１７】
第一実施形態の外装用段ボール箱Ｂ１は、図１の展開状態で示すように、段ボールからなるシート原材の打ち抜きプレスによって得られる一枚のシートＳにて構成されている。このシートＳは、前後側板部１，２と左右側板部３，４及び結合用フラップ５が縦折り線ａ…を介して横並びに連設されている。そして、前後側板部１，２の上下には上蓋フラップ６，７及び底蓋フラップ８，９が、左右側板部３，４の上下には蓋受けフラップ１０〜１３が、それぞれ横折り線ｂを介して延設されている。
【００１８】
そして、左側板部３の幅方向中央部には、上下方向全長に渡って左右対称のジグザグ状に連続する２本のジッパー式の破断誘導線１４，１４と、両破断誘導線１４，１４間の領域を上下に区割するＶ字状の切り込み１５とが形成され、この切り込み１５よりも上側の領域が切り離し部１６を構成すると共に、下側の領域が側方開離部１７を構成している。なお、切り込み１５は、左側板部３の中間よりもやや上位側で、両破断誘導線１４，１４間をジグザグ状の狭まった位置で結ぶ形になっている。
【００１９】
また、左側板部３の上縁に続く蓋受けフラップ１０の基部側には、破断誘導線１４，１４の上側延長部１４ａ，１４ａが入り込むと共に、横折り線ｂと平行に両上側延長部１４ａ，１４ａ間を結ぶ破断誘導線１８によって切り離し部１６の上端縁１６ａが構成されている。更に、破断誘導線１４，１４の上側延長部１４ａ，１４ａの先端は破断誘導線１８よりも蓋受けフラップ１０の基部から離れた位置にあり、その先端間を結ぶ形で設けられた横折り線ｃにより、上側延長部１４ａ，１４ａと破断誘導線１８及び横折り線ｃとの間で横長の小フラップ部１９が形成されている。
【００２０】
一方、左側板部３の下縁に続く蓋受けフラップ１２の基部側においても、破断誘導線１４，１４の下側延長部１４ｂ，１４ｂが入り込むと共に、横折り線ｂと平行に両下側延長部１４ｂ，１４ｂ間を結ぶ破断誘導線２０によって側方開離部１７の下端縁が構成されている。
【００２１】
しかして、上蓋フラップ６，７は、左側板部３側の側縁６ａ，７ａの先端側が凹陥部２１を形成している。
【００２２】
上記シートＳから外装用段ボール箱Ｂ１を製作するには、前後側板部１，２及び左右側板部３，４を縦折り線ａで折り曲げ、結合用フラップ５を右側板部４の内面に接着又はタッカーにて止着し、四周枠部を形成すればよい。そして、使用前には、四周枠部を平行四辺形状に偏平化した折畳み形態として輸送や保管に供する。
【００２３】
この外装用段ボール箱Ｂ１を使用する際には、まず偏平化していた四周枠部を矩形に拡げ、底側の蓋受けフラップ１２，１３を内側に折り曲げ、その上に底蓋フラップ８，９を折り付けて底板部を構成する。そして、底板部を下にして載置し、開放した上部側から箱内部に所要個数の箱入りギフト商品等の小箱体Ｇ…（図４〜図６参照）を納めて箱一杯に詰合せたのち、蓋受けフラップ１０，１１を内側に折り曲げ、その上に上蓋フラップ６，７を折り付けて閉じ合わせ、図２に示すように、接着テープＴの始端部Ｔａを左側板部３の切り離し部１６に貼着し、この貼着位置から繰り出した該接着テープＴを両上蓋フラップ６，７の閉じ合わせ縁に沿って貼着し、更に右側板部４を経て底蓋フラップ８，９の閉じ合わせ縁に沿って貼着し、末端部Ｔｂを左側板部３の側方開離部１７に貼着し、もって上蓋側及び底蓋側の両方を封緘する。なお、接着テープＴは例示とは逆に始端部Ｔａを側方開離部１７側に貼着するようにしてもよい。
【００２４】
かくして封緘した外装用段ボール箱Ｂ１では、両上蓋フラップ６，７における左側板部３側の側縁６ａ，７ａの閉じ合わせ部の近傍が、凹陥部２１によって切り離し部１６の上端縁１６ａよりも若干広い幅で当該左側板部３の上縁よりも箱内側寄りに位置している。そして、切り離し部１６の上縁端１６ａは、更に凹陥部２１よりも若干内側に位置することにより、上方側が両上蓋フラップ６，７に覆われた状態になっている。
【００２５】
封緘した外装用段ボール箱Ｂ１を開封して収容していた小箱体Ｇ…を取り出すには、まず図３に示すように、左側板部３の切り離し部１６を下縁の切り込み１５側から両側の破断誘導線１４，１４の破断によって手前へ引き起こし、更に上端縁１６ａの破断誘導線１８（図１参照）の破断により、該切り離し部１６を独立の段ボール片Ｐとして左側板部３及び蓋受けフラップ１０から切り離す。そして、この切り離した段ボール片Ｐには接着テープＩの始端部Ｔａが一体に貼着しているから、図４に示すように、段ボール片Ｐを手にして引き動かすことより、接着テープＴを上蓋フラップ６，７の閉じ合わせ縁から容易に且つ確実に引き剥がすことができ、もって極めて簡単に上蓋側を開封できる。
【００２６】
この開封操作に伴い、左側板部３の上部から蓋受けフラップ１０の基部側にかけ、切り離し部１６の抜け跡による開口部２２を生じ、該開口部２２より収容した上位の小箱体Ｇが露呈するが、図５に示すように、上蓋フラップ６，７及び蓋受けフラップ１０，１１を外側へ開き出せば、該開口部２２の上部側は蓋受けフラップ１０の基部側で上下方向に透通する手差込み口２２ａとなるから、図示仮想線のように該手差込み口２２ａから手Ｈを差し込んで小箱体Ｇを簡単に取り出すことができる。なお、手差込み口２２ａは小フラップ１９の外側への曲げ出しによって拡げることができ、これによって小箱体Ｇの取り出し操作がより容易になる。
【００２７】
更に、この外装用段ボール箱Ｂ１では、図６に示すように、側方開離部１７を両側の破断誘導線１４，１４の破断によって外側へ開離させることにより、切り離し部１６の抜け跡による開口部２２に連続して箱下縁に至る開口部２３が形成されるから、この開口部２３を利用して収容していた小箱体Ｇ…を最下部に位置するものまで極めて簡単に取り出すことができる。
【００２８】
図７に示す第二実施形態の外装用段ボール箱Ｂ２では、左側板部３の幅方向中央部にジッパー方式で上下方向に沿う直線状の２本の破断誘導線２４，２４が平行に刻設されると共に、当該左側板部３の中間よりもやや上位側で両破断誘導線２４，２４間にわたる横方向の切り込み２５が形成され、これら両破断誘導線２４，２４と切り込み２５によって共に矩形をなす上位側の切り離し部１６と下位側の側方開離部１７とが構成され、その切り離し部１６の片側下隅には三角形の指掛け部２６が形成されている。しかして、他の構成は前記第一実施形態の外装用段ボール箱Ｂ１と同様であるため、該第一実施形態と共通する部分には同一符号を附して説明を省略する。
【００２９】
この第二実施形態の外装用段ボール箱Ｂ２においても、第一実施形態の外装用段ボール箱Ｂ１と同様に、接着テープＴによって上蓋側及び底蓋側の両方が封緘され、該接着テープＴの始端側が左側板部３の切り離し部１６に、同末端部Ｔｂが側方開離部１７にそれぞれ貼着している。そして、開封に際しては、切り離し部１６の片側下隅の指掛け部２６を押し抜き、その抜き孔に指を掛けて切り離し部１６を下縁の切り込み２５側から両側の破断誘導線２４，２４の破断によって手前へ引き起こし、更に図示仮想線のように独立の段ボール片Ｐとして左側板部３及び蓋受けフラップ１０から切り離し、この段ボール片Ｐを手にして引き動かすことより、接着テープＴを上蓋フラップ６，７の閉じ合わせ縁から容易に且つ確実に引き剥がすことができ、もって開封した上蓋側を開き、以降は前記第一実施形態の場合と同様にして小箱体等の収容物を簡単に取り出すことができる。                
【００３０】
なお、切り離し部１６及び側方開離部１７の両側縁を構成する破断誘導線は、第一実施形態のようなジグザグ状や第二実施形態のような直線状以外の種々の形状に設定できるが、箱の側面強度の低下を抑える観点からはジグザグ状が好適である。
【００３１】
また、切り離し部１６は、第一及び第二実施形態として例示したように上端縁１６ａが蓋受けフラップ１０の領域に入り込んだ形に限らず、該上端縁１６ａが側板部の上縁やそれより低い位置にあるものとしてもよい。ただし、該上端縁１６ａを蓋受けフラップ１０の領域で且つ上蓋フラップ６，７の側縁６ａ，７ａよりも若干内側に位置させれば、該上端縁１６ａが上蓋フラップ６，７に覆われて保護されるから、輸送中や取扱い中に上下からの力が加わった際の該上端縁１６ａの破断を生じにくくなる上、既述のように開封後の外側へ開いた蓋受けフラップ１０の基部に手差込み口を生じるから、この手差込み口を利用して内容物の小箱体等をより簡単に取り出せるという利点がある。
【００３２】
更に、第一及び第二実施形態のように、封緘状態で切り離し部１６の上端縁１６ａが上蓋フラップ６，７の側縁６ａ，７ａよりも若干内側に位置すると共に、該側縁６ａ，７ａの少なくとも切り離し部１６の上端縁１６ａ幅に対応する幅領域（凹陥部２１）が、左側板部３の上縁よりも箱内側寄りに位置した構成では、接着テープＴの引き剥がしをより能率よく行えるという利点がある。すなわち、図８に示すように、上蓋側の開封において、切り離し部１６を下部側から破断して上へ引き上げれば、該切り離し部１６の上面と蓋フラップ６，７の側縁６ａ，７ａとの当接部を支点とする梃子の作用により、切り離し部１６の上端側１６ａが押し下げられて蓋受けフラップ１０から簡単に分離することになり、上端縁１６ａの破断誘導線１８を破断させるために該切り離し部１６を左右に捩るような操作が不要になるから、作業能率が著しく向上する。
【００３３】
もとより、このような作業能率においては若干劣ることになるが、図９に示す第３実施形態のように、切り離し部１６の破断誘導線１８は、左側板部３とこれに連なる蓋受けフラップ１０との間の横折れ線ｂ上に設けられていても良い。また、同様に、側方開離部１７の破断誘導線２０は、左側板部３とこれに連なる蓋受けフラップ２０との間の横折れ線ｂ上に設けられていても良い。
【００３４】
上記実施形態では外装用段ボール箱の上蓋側と底蓋側を一本の連続した接着テープで封緘するようにしているが、上蓋側と底蓋側を個別に接着テープで封緘するようにしてもよい。しかして、この発明は、上側と底側の両方を封緘する外装用段ボール箱に限らず、ボトムロック方式の底板部等で底側の封緘が不要な外装用段ボール箱にも適用可能である。また、接着テープを貼着する蓋フラップの閉じ合わせ部は、両側の蓋フラップ同士が部分的に重なる形態でもよい。
【図面の簡単な説明】
【００３５】
【図１】この発明の第一実施形態に係る外装用段ボール箱の組立前のシート形態を示す平面図である。
【図２】同外装用段ボール箱の封緘状態を示す斜視図である。
【図３】同外装用段ボール箱の開封操作の初期段階を示す斜視図である。
【図４】同外装用段ボール箱の開封操作の中間段階を示す斜視図である。
【図５】開封後の同外装用段ボール箱の上蓋側を開放した状態を示す斜視図である。
【図６】開封後の同外装用段ボール箱内に最下部の小箱体が残った状態を示す斜視図である。
【図７】この発明の第二実施形態に係る外装用段ボール箱の封緘状態を示す斜視図である。
【図８】この発明の第一及び第二実施形態に係る外装用段ボール箱の開封操作を示す要部の縦断側面図である。
【図９】この発明の第三実施形態に係る外装用段ボール箱の組立前のシート形態を示す平面図である。
【符号の説明】
【００３６】
１〜４・・・・・側板部
６，７・・・・・上蓋フラップ（蓋フラップ）
６ａ，７ａ・・・側縁
８，９・・・・・底蓋フラップ（底板部）
１０，１１・・・蓋受けフラップ
１２，１３・・・蓋受けフラップ（底板部）
１４，２４・・・破断誘導線
１５，２５・・・切り込み（切り離し部の下縁）
１６・・・・・・切り離し部
１６ａ・・・・・上端縁
１７・・・・・・側方開離部
１８，２０・・・破断誘導線
２１・・・・・・凹陥部（幅領域）
Ｂ１，Ｂ２，Ｂ３・・・外装用段ボール箱
Ｇ・・・・・・・小箱体（収容物）
Ｈ・・・・・・・手
Ｐ・・・・・・・段ボール片
Ｔ・・・・・・・接着テープ
Ｔａ・・・・・・始端部（端部）
【図１】
2007008529.tif 000003
【図２】
2007008529.tif 000004
【図３】
2007008529.tif 000005
【図４】
2007008529.tif 000006
【図５】
2007008529.tif 000007
【図６】
2007008529.tif 000008
【図７】
2007008529.tif 000009
【図８】
2007008529.tif 000010
【図９】
2007008529.tif 000011